(57)【要約】【課題】  原稿カバーの閉止を確実に検出することが可能であり、読み取り画像がピントぼけするといった読み取り画像の劣化の発生を防止することができる画像読取装置を提供する。【解決手段】  画像を読み取る密着型の画像読取部と、画像読取部に対向する側に検出マークを備えるとともに、画像読取部に対して開閉自在に形成された原稿カバー部材と、検出マークを画像読取部によって読み取り、検出マークにかかる読み取り情報から画像データを生成する画像データ生成部と、画像データ生成部により生成された画像データから画像読取部に対する原稿カバー部材の開閉具合を表す開閉パラメータを算出する開閉パラメータ算出部とを備えることを特徴とする画像読取装置。【選択図】  図１
2011071574.tif 000002
【特許請求の範囲】
【請求項１】
画像を読み取る密着型の画像読取部と、
前記画像読取部に対向する側に検出マークを備えるとともに、前記画像読取部に対して開閉自在に形成された原稿カバー部材と、
前記検出マークを前記画像読取部によって読み取り、前記検出マークにかかる読み取り情報から画像データを生成する画像データ生成部と、
前記画像データ生成部により生成された前記画像データから前記画像読取部に対する前記原稿カバー部材の開閉具合を表す開閉パラメータを算出する開閉パラメータ算出部とを備えること
を特徴とする画像読取装置。
【請求項２】
画像を読み取る密着型の画像読取部と、
前記画像読取部に対向する側に少なくとも２個以上の検出マークを備えるとともに、前記画像読取部に対して開閉自在に形成された原稿カバー部材と、
前記検出マークを前記画像読取部によって読み取り、前記検出マークにかかる読み取り情報から画像データを生成する画像データ生成部と、
前記画像データ生成部により生成された前記画像データから前記画像読取部に対する前記原稿カバー部材の開閉具合を表す開閉パラメータを算出する開閉パラメータ算出部と、
前記開閉パラメータ算出部が算出した前記開閉パラメータを比較する開閉パラメータ比較部とを備えること
を特徴とする画像読取装置。
【請求項３】
前記画像読取部は、
所定の光学解像度を有する撮像素子を備え、
前記検出マークは、
前記所定の光学解像度の少なくとも半分の光学解像度に対応したペアライン線であること
を特徴とする請求項１、又は２記載の画像読取装置。
【請求項４】
前記開閉パラメータは、
Ｍｏｄｕｌａｔｉｏｎ  Ｔｒａｎｓｆｅｒ  Ｆｕｎｃｔｉｏｎ（ＭＴＦ）であること
を特徴とする請求項１、又は２記載の画像読取装置。
【発明の詳細な説明】
【技術分野】
【０００１】
本発明は、密着型読み取りセンサを用いた画像読取装置に関するものである。
【背景技術】
【０００２】
従来、複写機、ファクシミリ等に使用されるフラットベット型の画像読取装置において、原稿カバーが読み取り対象の原稿を一様に押えておらず、原稿の一部分が浮き上がった状態で読み取り動作を行った場合、読み取りセンサの焦点距離がずれてしまい、焦点ぼけにより原稿の読み取りを正確に行えないといった問題があった。
【０００３】
このような問題から、例えば、特許文献１には、原稿カバーが完全に閉止したことを検出する手段としてマイクロスイッチや、フォトスイッチ等を備える画像読取装置が開示されている。
【先行技術文献】
【特許文献】
【０００４】
【特許文献１】特開平０８−３２８４４７号公報
【発明の概要】
【発明が解決しようとする課題】
【０００５】
しかしながら、読み取りセンサとして用いられている等倍光学系の読み取りセンサの有効被写界深度は、１ｍｍ程度と浅い。そして、従来技術では、画像読取装置に対する原稿カバーの閉止を感知するマイクロスイッチや、フォトスイッチ等の取り付け精度は高くない。したがって、このようなマイクロスイッチや、フォトスイッチ等を用いて原稿カバーの閉止を検出する形態の画像読取装置では、読み取り対象の原稿が一様に押さえられていない状態で読み取りが実施されることになり、その結果、読み取り画像がピントぼけするといった読み取り画像の劣化が発生する問題があった。
【０００６】
本発明は、このような実情に鑑みてなされたものであり、本発明の課題は、原稿カバーの閉止を確実に検出することが可能であり、読み取り画像がピントぼけするといった読み取り画像の劣化の発生を防止することができる画像読取装置を提供することである。
【０００７】
上記課題を解決するために、本発明にかかる画像読取装置は、画像を読み取る密着型の画像読取部と、画像読取部に対向する側に検出マークを備えるとともに、画像読取部に対して開閉自在に形成された原稿カバー部材と、検出マークを画像読取部によって読み取り、検出マークにかかる読み取り情報から画像データを生成する画像データ生成部と、画像データ生成部により生成された画像データから画像読取部に対する原稿カバー部材の開閉具合を表す開閉パラメータを算出する開閉パラメータ算出部とを備えることを特徴とする。
【０００８】
また、本発明にかかる画像読取装置は、画像を読み取る密着型の画像読取部と、画像読取部に対向する側に少なくとも２個以上の検出マークを備えるとともに、画像読取部に対して開閉自在に形成された原稿カバー部材と、検出マークを画像読取部によって読み取り、検出マークにかかる読み取り情報から画像データを生成する画像データ生成部と、画像データ生成部により生成された画像データから画像読取部に対する原稿カバー部材の開閉具合を表す開閉パラメータを算出する開閉パラメータ算出部と、開閉パラメータ算出部が算出した開閉パラメータを比較する開閉パラメータ比較部とを備えることを特徴とする。
【発明の効果】
【０００９】
本発明によれば、原稿カバーの閉止を確実に検出することが可能であり、読み取り画像がピントぼけするといった読み取り画像の劣化の発生を防止することができる画像読取装置を提供することができる。
【図面の簡単な説明】
【００１０】
【図１】スキャナの機能構成を説明するための機能ブロック図である。
【図２】スキャナの要部構成を説明するための概略構成図である。
【図３】ＭＴＦシートを説明するための概略図である。
【図４】ＭＴＦシートを説明するための概略図である。
【図５】ＭＴＦシートを説明するための概略図である。
【図６】ＭＴＦシートを説明するための概略図である。
【図７】スキャナの動作を説明するためのフローチャートである。
【図８】スキャナの機能構成を説明するための機能ブロック図である。
【図９】ＭＴＦシートを説明するための概略図である。
【図１０】スキャナの動作を説明するためのフローチャートである。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
[第１の実施形態]
第１の実施形態の説明においては、画像読取装置としてスキャナ１００を一例として説明する。スキャナ１００は、後述する自動原稿給紙部（ＡＤＦ：Automatic Document Feeder）を有する原稿カバー部材としての原稿カバーと、原稿載置部としての原稿台を有する原稿台読み取り部と、を備え、自動原稿給紙部から給紙された原稿、並びに原稿台に載置された原稿上の画像を読み取るとともに、読み取った画像に基づく画像データを生成する画像読取装置である。
【００１３】
図１は、スキャナ１００の機能構成を説明するための機能ブロック図である。スキャナ１００は、例えば、ＵＳＢ（Universal Serial Bus）インターフェース等で構成されるデータ通信バス０１２を介してプリンタ０１３と接続されている。プリンタ０１３には、特には限定されないが、例えば、電子写真方式の印刷エンジンを備えた画像形成装置を用いることができる。
【００１４】
図１に示すように、スキャナ１００は、後述する等倍光学系の読み取りユニット１１５から出力されたアナログ信号から画像データを生成する画像データ生成部としての画像読み取り部００２と、画像読み取り部００２が出力した画像データのＭＴＦ（Modulation Transfer Function）を算出する開閉パラメータ算出部としてのＭＴＦ算出部００３と、画像読み取り部００２が出力した画像データに対してシューティング補正処理、圧縮処理、又はガンマ補正処理等の画像処理を行う画像処理部００４と、制御プログラムに基づいてスキャナ１００全体を統括的に制御する中央演算処理装置であるＣＰＵ（Central Processing Unit）００５と、後述する原稿検出センサ１０６、又は読み取り位置センサ１０７からの出力信号に基づいてＣＰＵ００５が出力した処理命令に従い、ステッピングモータ１０８、及びステッピングモータ１１３の駆動を制御する搬送制御部００６と、画像データの一時蓄積や制御データの一時格納に用いられる、揮発性記憶装置であるＲＡＭ（Random Access Memory）００７と、ユーザからの動作指示の入力受付け、又はスキャナ１００の動作状態を表示するオペレーションパネル００８と、データ通信バス０１２とのデータ送受信を制御するＩ／Ｆ制御部００９と、ＣＰＵ００５が出力する処理命令や、画像読み取り部００２が出力する画像データをスキャナ１００内の各部材に送受信するための通信路であるバス０１０と、ＣＰＵ００５がスキャナ１００の制御に用いる制御プログラムを格納する不揮発性記憶装置であるＲＯＭ（Read Only Memory）０１１と、を備える。
【００１５】
次に、スキャナ１００の要部構成について説明する。図２は、スキャナ１００の要部構成を説明する概略構成図である。
【００１６】
図２に示すように、スキャナ１００は、自動原稿給紙部を有する原稿カバー１０１、及び原稿台を有する原稿台読み取り部１０２を備える。まず、原稿カバー１０１について説明し、次いで原稿台読み取り部１０２について説明する。
【００１７】
原稿カバー１０１は、給紙ローラ１０３と、搬送ローラ１０４と、排紙ローラ１０５と、原稿検出センサ１０６と、読取位置センサ１０７と、ステッピングモータ１０８と、原稿押圧板１０９と、原稿トレイ１１０と、原稿圧板１１９と、白色シート１２０と、検出マークとしてのＭＴＦシート１２４と、を備える。
【００１８】
給紙ローラ１０３は、ステッピングモータ１０８の駆動に伴って回転し、原稿トレイ１１０に載置された原稿束から原稿１２６を１枚ずつ分離し、搬送ローラ１０４に原稿１２６を給紙する。
【００１９】
搬送ローラ１０４は、ステッピングモータ１０８の駆動に伴って回転し、給紙ローラ１０３から給紙された原稿１２６を更に排紙ローラ２０５へと搬送する。
【００２０】
排紙ローラ１０５は、ステッピングモータ１０８の駆動に伴って回転し、原稿押圧板１０９の下部を通過した原稿１２６を装置外部に排出する。
【００２１】
原稿検出センサ１０６は、ユーザにより原稿トレイ１１０に載置された原稿１２６を検出し、その検出信号を出力する。なお、原稿検出センサ１０６には、接触型センサ、又は非接触型センサの何れのセンサも用いることができる。
【００２２】
読取位置センサ１０７は、搬送ローラ１０４により搬送され、原稿読取位置１１１に近接した原稿１２６の先端位置を検出し、その検出信号を出力する。なお、読取位置センサ１０７には、接触型センサ、又は非接触型センサの何れのセンサも用いることができる。
【００２３】
ステッピングモータ１０８は、搬送制御部００６の制御に基づいて駆動し、その駆動力は図示せぬギア構造を介して給紙ローラ１０３、搬送ローラ１０４、及び排紙ローラ１０５に伝達される。
【００２４】
原稿押圧板１０９は、原稿１２６の搬送経路中途に設けられ、搬送される原稿１２６を押圧することで読取位置１１１における原稿１２６の浮き上がりを防止する。なお、原稿押圧板１０９の長手方向長さは、後述する原稿圧板１１９の短手方向長さと略同一となるように形成された長方形の板状部材である。
【００２５】
原稿トレイ１１０は、原稿１２６を積層した状態で載置可能なトレイ部材であり、載置された原稿１２６の用紙先端部が原稿検出センサ１０６により検出可能となる位置に配置される。
【００２６】
原稿圧板１１９は、原稿台読み取り部１０２に対して開閉自在に形成され、原稿１２６が原稿台ガラス１１２上にセットされる際には開放され、セットした原稿１２６上の画像が読み取られる際には閉止される。
【００２７】
白色シート１２０は、原稿台ガラス１１２と略同一の面積を有する略長方形の光反射性の白色シート部材であり、原稿圧板１１９の裏面、つまり、原稿台ガラス１１２に載置された原稿１２６に対向する面に張設され、原稿１２６が読み取られる際に外部からの光を遮光する。
【００２８】
ＭＴＦシート１２４は、読み取りユニット１１５による画像読み取り範囲外の所定の位置において、原稿圧板１１９が閉止された際に原稿台ガラス１１２と接触可能となるように、原稿圧板１１９の裏面に張設されている。なお、ＭＴＦシート１２４については、後ほど詳細に説明する。
【００２９】
次に、原稿台読み取り部１０２について説明する。原稿台読み取り部１０２は、原稿台ガラス１１２と、ステッピングモータ１１３と、駆動ベルト１１４と、読み取りユニット１１５と、プーリー１１６と、白色基準板１１７と、ホームセンサ１１８と、自動原稿給紙部用ガラス１２５と、を備える。
【００３０】
原稿台ガラス１１２は、原稿が載置される原稿載置面を形成する略長方形の板状ガラス部材である。
【００３１】
ステッピングモータ１１３は、搬送制御部００６の制御に基づいて駆動し、その駆動力は駆動ベルト１１４を介してプーリー１１６に伝達される。
【００３２】
駆動ベルト１１４は、無端のベルト部材であり、読み取りユニット１１５に接続されている。そして、駆動ベルト１１４は、プーリー１１６の回転に伴って駆動し、読み取りユニット１１５を原稿１２６の長手方向、つまり、副走査方向に移動させる。
【００３３】
読み取りユニット１１５は、原稿台ガラス１１２上に載置された原稿１２６に光を照射する光源１２１と、原稿１２６により反射された光を集光するレンズ１２２と、レンズ１２２で集光された光を光電変換し、画像に応じた電圧を発生する光電変換素子１２３とで構成される等倍光学系の読み取りユニットである。本願では、焦点深度は浅いが小型化が可能な密着型の読み取りユニットとしてのＣＩＳ（Contact Image Sensor）センサを搭載したスキャナを読み取りユニットとして用いている。光源１２１としては、特には限定されないが、例えば、寿命が長く、消費電力が少ないモリブテン電極等の冷陰極管等を使用することができる。レンズ１２２は、原稿１２６で反射された光を光電変換素子１２３に結像させる位置に配置される。光電変換素子１２３としては、ＣＣＤ(Charge Coupled Device)イメージセンサ等の撮像素子を用いてもよい。
【００３４】
そして、読み取りユニット１１５は、ステッピングモータ１１３の駆動に伴って駆動する駆動ベルト１１４により原稿台ガラス１１２に沿って稼働し、原稿台ガラス１１２に載置された原稿１２６上の画像を走査して、原稿１２６全面の画像に対応する画像データを得ることができるように構成されている。
【００３５】
プーリー１１６は、一対となって駆動ベルト１１４を張架する張架部材であり、ステッピングモータ１１３の駆動に伴って回転し、駆動ベルト１１４を駆動させる。
【００３６】
白色基準板１１７は、光電変換素子１２３が備える素子が出力する電圧のバラつきを平滑化するためのシューティング補正処理時に、補正基準となる白基準データを取得する際に読み取られるものであり、読み取りユニット１１５による画像読み取り範囲外の所定の位置に配置される。
【００３７】
ホームセンサ１１８は、読み取りユニット１１５の移動位置を検出し、その検出信号を出力する。ホームセンサ１１８としては、特には限定されないが、例えば、光透過型、又は光反射型のフォトインタラプタ等を使用することができる。
【００３８】
自動原稿給紙部用ガラス１２５は、自動原稿給紙部の原稿搬送経路中途に位置する位置に形成され、原稿１２６の短手方向長さと略同一の長さを有する長方形の板状ガラス部材である。
【００３９】
ここで、前述したＭＴＦシート１２４について図３、図４、図５、及び図６を用いて説明する。
【００４０】
ＭＴＦとは、Modulation Transfer Functionの略称であり、一般的には、レンズ性能を評価する指標の一つであり、被写体（本実施形態においては、図３に示すような模様図）が持つコントラスト比がどの程度忠実に再現されるかを空間周波数特性として表現したものである。
【００４１】
本実施形態においては、図３に示すように、読み取りユニット１１５の主走査方向、及び副走査方向に対して、白色と黒色とから構成されるペアライン線が所定の間隔を持って形成された模様のシートをＭＴＦシート１２４として、図４に示す位置２０１に張設した。ここで、ＭＴＦシート１２４の光学解像度は、読み取りユニット１１５が有する最低読み取り解像度の２倍程度の光学解像度であればよい。具体的には、例えば、読み取りユニット１１５の最低読み取り解像度が３００ｄｐｉ（dot per inch）である場合、ＭＴＦシート１２４、つまり、ペアライン線の光学解像度は、１５０ｌｐ／ｉｎｃｈ（lines pare/inch）程度となる。
【００４２】
なお、図４の位置２０１におけるＭＴＦシート１２４の張設位置は、原稿カバー１０１が閉止された場合に、原稿台読み取り部１０２に形成された読み取り領域２０２と重なるよう設定されている。したがって、読み取りユニット１１５は、当該読み取り領域２０２において、ＭＴＦシート１２４上のペアライン線を読み取ることになる。
【００４３】
本実施形態においては、図５に示すように、ＭＴＦシート１２４を図４における位置２０１に張設した場合の被写界深度は、ＭＴＦシート１２４と読み取り領域２０２との距離となる。そして、図６に示すように、被写界深度が０のとき、つまり、図４における位置２０１に張設されたＭＴＦシート１２４と読み取り領域２０２とが密接しているときのＭＴＦ値を１とする。ここで、例えば、算出したＭＴＦ値が０．７であった場合、被写界深度はＡ（ｍｍ）となり、同様に算出したＭＴＦ値が０．３であった場合、被写界深度はＢ（ｍｍ）となる。このように、ＭＴＦ値を算出することで、ＭＴＦシート１２４と読み取り領域２０２との距離、つまり、原稿台読み取り部１０１に対する原稿カバー１０２の浮き具合を概算することができる。なお、ＭＴＦ値の算出手法は、ここでは詳細に述べないが、公知の手法を用いて行うことができる。
【００４４】
次に、このような構成を有するスキャナ１００の動作について図７のフローチャートを用いて説明する。
【００４５】
まず、ステップＳ１０１において、ユーザにより原稿１２６が原稿台ガラス１１２に載置され、原稿カバー１０１が閉止された後、オペレーションパネル００８を介してユーザにより原稿１２６の読み取り動作実施指示の入力を受付けると、ＣＰＵ００５は、シューティング補正用データを既に取得しているか否かを判定する（ステップＳ１０２）。一例を示せば、前回の読み取り動作終了時にシューティング補正用データがＲＯＭ０１１に格納された旨を表すフラグビットをＣＰＵ００５が参照することによって、シューティング補正用データが取得済みであるか否かを判断する形態としてもよい。
【００４６】
ここで、シューティング補正用データを取得していない、又は読み取り解像度の変更等によりシューティング補正用データの取得が必要である場合（ステップＳ１０２  Ｎｏ）、ＣＰＵ００５は、画像読み取り部００２、及び搬送制御部００６を制御し、読み取りユニット１１５を用いて白色補正版１１７を読み取ることで、シューティング補正用データを取得する（ステップＳ１０３）。
【００４７】
一方、シューティング補正用データを既に取得している場合（ステップＳ１０２  Ｙｅｓ）、ＣＰＵ００５は、画像読み取り部００２、及び搬送制御部００６を制御し、読み取りユニット１１５を用いて読み取り領域２０２を走査し、画像データを取得させる（Ｓ１０４）。このとき、読み取り領域２０２には、図４における位置２０１に張設されたＭＴＦシート１２４が重なっているため、読み取りユニット１１５は、図３に示すＭＴＦシート１２４を読み取ることになる。そして、画像読み取り部００２は、ＭＴＦシート１２４にかかる画像データを生成するとともに、当該画像データをＭＴＦ算出部００３に出力する。
【００４８】
次に、ＣＰＵ００５は、画像読み取り部００２から出力されたＭＴＦシート１２４にかかる画像データに基づくＭＴＦ値を算出するようにＭＴＦ算出部００３に指示を与える。指示を受けたＭＴＦ算出部００３は、画像読み取り部００２から入力された画像データに基づき、ＭＴＦ値を算出する（ステップＳ１０５）。
【００４９】
そして、ＣＰＵ００５は、ＭＴＦ算出部００３が算出したＭＴＦ値と、予め設定されたＭＴＦ閾値と、を比較する。ここで、例えば、図６に示した被写界深度Ａ（ｍｍ）を閾値、つまり、被写界深度Ａ（ｍｍ）を原稿台読み取り部１０２に対する原稿カバー１０１の浮き具合の許容距離と設定した場合、ＣＰＵ００５は、ステップＳ１０６において、ＭＴＦ算出部００３が算出したＭＴＦ値が０．７以上であるか否かを判断する。
【００５０】
ここで、ＭＴＦ算出部００３が算出したＭＴＦ値が予め設定されたＭＴＦ閾値以下の値である場合（ステップＳ１０６  Ｙｅｓ）、ＣＰＵ００５は、原稿カバー１０１は、原稿台読み取り部１０２に対して許容距離以下に閉止されていると判断し、画像読み取り部００２、及び搬送制御部００６を制御し、読み取りユニット１１５を用いて原稿台ガラス１１２上に載置された原稿１２６の読み取り動作を実施させる（ステップＳ１０７）。
【００５１】
一方、ＭＴＦ算出部００５が算出したＭＴＦ値が予め設定されたＭＴＦ閾値よりも大きい値である場合（ステップＳ１０６  Ｎｏ）、ＣＰＵ００５は、原稿カバー１０１は、原稿台読み取り部１０２に対して許容距離よりも開放されていると判断し、例えば、「警告  カバーを閉じてください」といった、ユーザに対して原稿カバー１０１を閉止を促す旨のメッセージを表示するようにオペレーションパネル００８に対して指示を与える。指示を受けたオペレーションパネル００８は、ユーザに対して原稿カバー１０１を閉止を促す旨のメッセージを表示する（ステップＳ１０８）。
【００５２】
以上のように、第１の実施形態によれば、原稿カバーに張設したＭＴＦシート上の模様を読み取りユニットで読み取り、ＭＴＦ値を算出することで、原稿台読み取り部に対する原稿カバーの浮き具合を概算することができるため、ユーザに対して確実な原稿カバーの閉止を促すことができる。したがって、本実施形態によれば、読み取り画像がピントぼけするといった読み取り画像の劣化の発生を防止することができる画像読取装置を提供することができる。
【００５３】
[第２の実施形態]
第２の実施形態にかかるスキャナ３００の機能構成、及び要部構成については、第１の実施形態にかかるスキャナ１００と略同一である。したがって、第２の実施形態にかかるスキャナ３００の説明においては、第１の実施形態にかかるスキャナ１００と同一な箇所については、同一の符合を付してその説明を省略し、異なる箇所についてのみ説明する。
【００５４】
図８は、第２の実施形態にかかるスキャナ３００の機能構成を説明するための機能ブロック図である。スキャナ３００は、第１の実施形態にかかるスキャナ１００の構成に加えて、ＭＴＦ比較部３０１を備える。
【００５５】
ＭＴＦ比較部３０１は、第１の実施形態で説明したＭＴＦ算出部００３が算出したＭＴＦ値を比較するとともに、当該比較結果を出力する。
【００５６】
図９に示すように、第２の実施形態にかかるＭＴＦシート１２４の張設位置は、位置２０１、位置４０１、位置４０２、及び位置４０３の合計４ヶ所である。そして、それぞれのＭＴＦシート１２４は、原稿カバー１０１’が閉止された場合に、原稿台読み取り部１０２’に形成された読み取り領域２０２、読み取り領域４０４、読み取り領域４０５、及び読み取り領域４０６と重なるように張設位置が設定されており、読み取りユニット１１５は、それぞれの読み取り領域２０２、読み取り領域４０４、読み取り領域４０５、及び読み取り領域４０６におけるＭＴＦシート１２４の模様を読み取る。
【００５７】
次に、このような構成を有するスキャナ３００の動作について図１０のフローチャートを用いて説明する。
【００５８】
まず、ステップＳ２０１において、ユーザにより原稿１２６が原稿台ガラス１１２に載置され、原稿カバー１０１’が閉止された後、オペレーションパネル００８を介してユーザにより原稿１２６の読み取り動作実施指示の入力を受付けると、ＣＰＵ００５は、シューティング補正用データを既に取得しているか否かを判定する（ステップＳ２０２）。一例を示せば、前回の読み取り動作終了時にシューティング補正用データがＲＯＭ０１１に格納された旨を表すフラグビットをＣＰＵ００５が参照することによって、シューティング補正用データが取得済みであるか否かを判断する形態としてもよい。
【００５９】
ここで、シューティング補正用データを取得していない、又は読み取り解像度の変更等によりシューティング補正用データの取得が必要である場合（ステップＳ２０２  Ｎｏ）、ＣＰＵ００５は、画像読み取り部００２、及び搬送制御部００６を制御し、読み取りユニット１１５を用いて白色補正版１１７を読み取ることで、シューティング補正用データを取得する（ステップＳ２０３）。
【００６０】
一方、シューティング補正用データを既に取得している場合（ステップＳ２０２  Ｙｅｓ）、ＣＰＵ００５は、画像読み取り部００２、及び搬送制御部００６を制御し、読み取りユニット１１５を用いて読み取り領域２０２、読み取り領域４０４、読み取り領域４０５、及び読み取り領域４０６を走査し、画像データを取得させる（Ｓ２０４）。このとき、読み取り領域２０２、読み取り領域４０４、読み取り領域４０５、及び読み取り領域４０６には、図９における位置２０１、位置４０１、位置４０２、及び位置４０３に張設されたＭＴＦシート１２４がそれぞれ重なっているため、読み取りユニット１１５は、図３に示すＭＴＦシート１２４それぞれの読み取り領域において読み取ることになる。そして、画像読み取り部００２は、ＭＴＦシート１２４にかかる画像データを生成するとともに、当該画像データをＭＴＦ算出部００３に出力する。
【００６１】
次に、ＣＰＵ００５は、画像読み取り部００２から出力されたＭＴＦシート１２４にかかる画像データに基づくＭＴＦ値を算出するようにＭＴＦ算出部００３に指示を与える。指示を受けたＭＴＦ算出部００３は、画像読み取り部００２から入力された画像データに基づき、ＭＴＦ値を算出する（ステップＳ２０５）。
【００６２】
そして、ＣＰＵ００５は、ＭＴＦ算出部００３が算出した全てのＭＴＦ値と、予め設定されたＭＴＦ閾値と、を比較する。ここで、例えば、図６に示した被写界深度Ａ（ｍｍ）を閾値、つまり、被写界深度Ａ（ｍｍ）を原稿台読み取り部１０２’に対する原稿カバー１０１’の浮き具合の許容距離と設定した場合、ＣＰＵ００５は、ステップＳ２０６において、ＭＴＦ算出部００３が算出したＭＴＦ値が０．７以上であるか否かを判断する。
【００６３】
ここで、ＭＴＦ算出部００３が算出した全てのＭＴＦ値が予め設定されたＭＴＦ閾値以下の値である場合（ステップＳ２０６  Ｙｅｓ）、ＣＰＵ００５は、原稿カバー１０１’は、原稿台読み取り部１０２’に対して許容距離以下に閉止されていると判断し、画像読み取り部００２、及び搬送制御部００６を制御し、読み取りユニット１１５を用いて原稿台ガラス１１２上に載置された原稿１２６の読み取り動作を実施させる（ステップＳ２０７）。
【００６４】
一方、ＭＴＦ算出部００３が算出した全てのＭＴＦ値が予め設定されたＭＴＦ閾値よりも大きい値である場合（ステップＳ２０６  Ｎｏ）、ＣＰＵ００５は、原稿カバー１０１’は、原稿台読み取り部１０２’に対して許容距離よりも開放されていると判断する。そして、ＣＰＵ００５は、ＭＴＦ算出部００３が算出した読み取り領域２０２、読み取り領域４０４、読み取り領域４０５、及び読み取り領域４０６における全てのＭＴＦ値を比較することで、何れの読み取り領域にかかるＭＴＦ値が最少であるかを判断するようにＭＴＦ比較部３０１に指示を与える。
【００６５】
指示を受けたＭＴＦ比較部３０１は、読み取り領域２０２、読み取り領域４０４、読み取り領域４０５、及び読み取り領域４０６における全てのＭＴＦ値を比較する。具体的には、まず、ＭＴＦ比較部３０１は、読み取り領域２０２のＭＴＦ値が最小値であるか否かを判断する。ここで、算出された全てのＭＴＦ値において、読み取り領域２０２にかかるＭＴＦ値が最少値である場合（ステップＳ２０８  Ｙｅｓ）、ＭＴＦ比較部３０１は、原稿カバー１０１’は、原稿台読み取り部１０２’に対して左手前側が開放されていると判断し、その旨をＣＰＵ００５に通知する。通知を受けたＣＰＵ００５は、例えば、「原稿カバーの左手前側を閉じてください」といった、ユーザに対して原稿カバー１０１’を閉止を促す旨のメッセージを表示するようにオペレーションパネル００８に対して指示を与える。指示を受けたオペレーションパネル００８は、ユーザに対して原稿カバー１０１’を閉止を促す旨のメッセージを表示する（ステップＳ２０９）。
【００６６】
算出された全てのＭＴＦ値において、読み取り領域２０２にかかるＭＴＦ値が最少値でない場合（ステップＳ２０８  Ｎｏ）、ＭＴＦ比較部３０１は、読み取り領域４０４のＭＴＦ値が最小値であるか否かを判断する。ここで、算出された全てのＭＴＦ値において、読み取り領域４０４にかかるＭＴＦ値が最少値である場合（ステップＳ２１０  Ｙｅｓ）、ＭＴＦ比較部３０１は、原稿カバー１０１’は、原稿台読み取り部１０２’に対して左奥側が開放されていると判断し、その旨をＣＰＵ００５に通知する。通知を受けたＣＰＵ００５は、例えば、「原稿カバーの左奥側を閉じてください」といった、ユーザに対して原稿カバー１０１’を閉止を促す旨のメッセージを表示するようにオペレーションパネル００８に対して指示を与える。指示を受けたオペレーションパネル００８は、ユーザに対して原稿カバー１０１’を閉止を促す旨のメッセージを表示する（ステップＳ２１１）。
【００６７】
算出された全てのＭＴＦ値において、読み取り領域４０４にかかるＭＴＦ値が最少値でない場合（ステップＳ２１０  Ｎｏ）、ＭＴＦ比較部３０１は、読み取り領域４０５のＭＴＦ値が最小値であるか否かを判断する。ここで、算出された全てのＭＴＦ値において、読み取り領域４０５にかかるＭＴＦ値が最少値である場合（ステップＳ２１２  Ｙｅｓ）、ＭＴＦ比較部３０１は、原稿カバー１０１’は、原稿台読み取り部１０２’に対して右手前側が開放されていると判断し、その旨をＣＰＵ００５に通知する。通知を受けたＣＰＵ００５は、例えば、「原稿カバーの右手前側を閉じてください」といった、ユーザに対して原稿カバー１０１’を閉止を促す旨のメッセージを表示するようにオペレーションパネル００８に対して指示を与える。指示を受けたオペレーションパネル００８は、ユーザに対して原稿カバー１０１’を閉止を促す旨のメッセージを表示する（ステップＳ２１３）。
【００６８】
算出された全てのＭＴＦ値において、読み取り領域４０５にかかるＭＴＦ値が最少値でない場合（ステップＳ２１２  Ｎｏ）、ＭＴＦ比較部３０１は、読み取り領域４０６のＭＴＦ値が最小値であると判断する。そして、ＭＴＦ比較部３０１は、原稿カバー１０１’は、原稿台読み取り部１０２’に対して右奥側が開放されていると判断し、その旨をＣＰＵ００５に通知する。通知を受けたＣＰＵ００５は、例えば、「原稿カバーの右奥側を閉じてください」といった、ユーザに対して原稿カバー１０１’を閉止を促す旨のメッセージを表示するようにオペレーションパネル００８に対して指示を与える。指示を受けたオペレーションパネル００８は、ユーザに対して原稿カバー１０１’を閉止を促す旨のメッセージを表示する（ステップＳ２１４）。
【００６９】
以上のように、第２の実施形態によれば、第１の実施形態の効果に加え、原稿カバーの複数個所に設けられたＭＴＦシートにかかる全てのＭＴＦ値を比較することで、原稿カバーが開放されている箇所を特定し、その旨をユーザに報知することが可能となる。
【００７０】
本実施形態の説明においては、本発明を画像読取装置としてスキャナに適用した実施形態について説明したが、本発明は上記記述に限定されるものではない。例えば、本発明は、ファクシミリ、複写機、スキャナとプリンタとを組み合わせた複合印刷装置といった、画像読取機能を具備する何れの電子機器にも適用可能である。
【符号の説明】
【００７１】
００２  画像読み取り部
００３  ＭＴＦ算出部
００４  画像処理部
００５  ＣＰＵ
００６  搬送制御部
００７  ＲＡＭ
００８  オペレーションパネル
００９  Ｉ／Ｆ制御部
０１０  バス
０１１  ＲＯＭ
０１２  データ通信バス
０１３  プリンタ
１００  スキャナ
１０１  原稿カバー
１０１’原稿カバー
１０２  原稿台読み取り部
１０２’原稿台読み取り部
１０３  給紙ローラ
１０４  搬送ローラ
１０５  排紙ローラ
１０６  原稿位置センサ
１０７  読取位置センサ
１０８  ステッピングモータ
１０９  原稿押圧板
１１０  原稿トレイ
１１１  読み取り位置
１１２  原稿台ガラス
１１３  ステッピングモータ
１１４  駆動ベルト
１１５  読み取りユニット
１１６  プーリー
１１７  白色基準板
１１８  ホームセンサ
１１９  原稿圧板
１２０  白色シート
１２４  ＭＴＦシート
１２５  自動原稿給紙部用ガラス
１２６  原稿
【図１】
2011071574.tif 000003
【図２】
2011071574.tif 000004
【図３】
2011071574.tif 000005
【図４】
2011071574.tif 000006
【図５】
2011071574.tif 000007
【図６】
2011071574.tif 000008
【図７】
2011071574.tif 000009
【図８】
2011071574.tif 000010
【図９】
2011071574.tif 000011
【図１０】
2011071574.tif 000012